(57)【要約】【課題】糸３の引き出し端部を施工対象材Ｗの表面における線引きの基準点Ｐ２に位置決め固定する作業を容易に行うことができ、かつ糸３の引き出し端部が前記基準点Ｐ２からずれてしまうのを有効に防止できる線引き具を提供する。【解決手段】ボディ１と、このボディ１内に設けられた糸巻２と、ボディ１内に設けられ着色材が封入される着色材保持部と、糸巻２に巻回され前記着色材保持部を通ってボディ１の外部へ引き出される糸３とを備え、糸３を引き出す引き出し口が開設されたボディ１の端部に、滑り止め部材５が設けられている。【選択図】図１
2015089581.tif 000002
【特許請求の範囲】
【請求項１】
ボディと、このボディ内に設けられた糸巻と、前記ボディ内に設けられ着色材が封入される着色材保持部と、前記糸巻に巻回され前記着色材保持部を通って前記ボディの外部へ引き出される糸とを備え、前記糸を引き出す引き出し口が開設された前記ボディの端部に、滑り止め部材が設けられたことを特徴とする線引き具。
【請求項２】
滑り止め部材が、ボディの端部のうち、引き出し口からの糸の張設方向と反対側の縁に位置して設けられたことを特徴とする請求項１に記載の線引き具。
【請求項３】
滑り止め部材が、ボディの端部のうち、引き出し口からの糸の張設方向の縁に位置して設けられたことを特徴とする請求項１又は２に記載の線引き具。
【発明の詳細な説明】
【技術分野】
【０００１】
本発明は、木工あるいは建築において、糸に付着させた着色液又は粉体により線引きを行う線引き具に関する。
【背景技術】
【０００２】
木工や建築において使用される線引き具としては、従来から、墨汁などの着色液を付着させた糸で線引きを行う墨壷や、チョーク粉などの粉体を付着させた糸で線引きを行うチョークラインと呼ばれるものなどが知られている。
【０００３】
例えば墨壷は、ボディに糸巻及びこの糸巻から引き出される糸に墨汁を付着させる墨汁浸透部材が内蔵され、糸の先端に、施工対象材の任意の箇所に突き刺すなどして止着するカルコが取り付けられたものである。そしてこの墨壷を用いて墨線を引くには、まずカルコを施工対象材の一方の線引き基準点に止着してからボディを他方の線引き基準点へ向けて移動させる。このとき、糸巻から引き出される糸に墨汁浸透部材との接触によって墨汁が付着するので、ボディにおける糸の引き出し部に形成された糸押さえ面を、施工対象材の表面における他方の線引き基準点に押し付けることで、カルコとボディの間で糸に適当な張力を与えた状態で、糸を施工対象材の表面に向けて手指ではじくことによって、直線状の墨線を転写することができるのである（下記の先行技術文献参照）。
【先行技術文献】
【特許文献】
【０００４】
【特許文献１】特開平６−２４０８７８号公報
【発明の概要】
【発明が解決しようとする課題】
【０００５】
しかしながら、従来の線引き具によると、ボディの糸押さえ面を施工対象材の表面における線引き基準点に押し付ける作業を、糸の張力に抗して行う必要があることから、糸の引き出し端部を基準点に正確に位置合わせする作業が難しく、また、糸を施工対象材の表面へ向けてはじいて打ち付けるために手指で引っ張ったときに、それに伴う糸の張力増大によって糸の引き出し端部が線引き基準点からずれてしまいやすい問題があった。
【０００６】
本発明は、以上のような点に鑑みてなされたものであって、その技術的課題は、糸の引き出し端部を施工対象材の表面における線引きの基準点に位置決め固定する作業を容易に行うことができ、かつ糸の引き出し端部が前記基準点からずれてしまうのを有効に防止できる線引き具を提供することにある。
【課題を解決するための手段】
【０００７】
上述した技術的課題を有効に解決するための手段として、請求項１の発明に係る線引き具は、ボディと、このボディ内に設けられた糸巻と、前記ボディ内に設けられ着色材が封入される着色材保持部と、前記糸巻に巻回され前記着色材保持部を通って前記ボディの外部へ引き出される糸とを備え、前記糸を引き出す引き出し口が開設された前記ボディの端部に、滑り止め部材が設けられたことを特徴とするものである。
【０００８】
請求項１の線引き具を用いて施工対象材の表面に線引きを行うには、まず引き出し口から引き出した糸の端部を施工対象材の一方の線引き基準点に止着してから、ボディを他方の線引き基準点へ向けて移動させ、これに伴い糸に着色材を付着させ、ボディの端部を、施工対象材の表面における他方の線引き基準点に位置決めすることで、糸に適当な張力を与え、この糸を施工対象材の表面に向けて手指ではじくことによって、着色材による直線状の線を転写する。このとき、ボディの端部は施工対象材の表面に押し付けられた滑り止め部材によって滑り止めされるので、糸の張力による不用意な滑動を防止することができる。
【０００９】
請求項２の発明に係る線引き具は、請求項１に記載された構成において、滑り止め部材が、ボディの端部のうち、引き出し口からの糸の張設方向と反対側の縁に位置して設けられたことを特徴とするものである。
【００１０】
請求項３の発明に係る線引き具は、請求項１又は２に記載された構成において、滑り止め部材が、ボディの端部のうち、引き出し口からの糸の張設方向の縁に位置して設けられたことを特徴とするものである。
【発明の効果】
【００１１】
本発明に係る線引き具によれば、ボディの端部に、引き出し口から引き出された糸の張力が作用しても、前記ボディの端部に設けられた滑り止め部材が施工対象面に押し付けられることによって、前記ボディの端部の滑動が抑止されるため、糸の引き出し端部を基準点に位置決め固定する作業を容易に行うことができ、かつ糸の引き出し端部が線引き基準点からずれてしまうのを有効に防止することができる。
【図面の簡単な説明】
【００１２】
【図１】本発明に係る線引き具の実施の形態を示す側面図である。
【図２】本発明に係る線引き具の実施の形態を示す平面図である。
【図３】本発明に係る線引き具の実施の形態を示す断面図である。
【図４】本発明に係る線引き具の実施の形態を示す使用状態の側面図である。
【発明を実施するための形態】
【００１３】
以下、本発明に係る線引き具を墨壷に適用した好ましい実施の形態について、図面を参照しながら説明する。
【００１４】
図１及び図２において、参照符号１は、合成樹脂材で成形されたボディである。このボディ１は、円形の糸巻収納部１１と、その前方の墨室形成部１２と、更にその前方の糸導出部１３と、糸巻収納部１１の上部開口に着脱可能に設けられた糸巻カバー１４と、墨室形成部１２の上部開口にヒンジ１５１を介して揺動可能に設けられた墨室カバー１５とを有する。
【００１５】
糸巻カバー１４は、図３に示すように、糸巻収納部１１の開口縁に着脱可能に固定されることによってこの糸巻収納部１１との間に、糸巻２を回転自在に保持する糸巻室１Ａを画成するものである。糸巻２は、外周に糸３を巻回する糸巻本体２１と、その内周に取り付けられて糸巻本体２１を糸３の巻き取り回転方向に付勢する渦巻きばね２２からなり、糸巻本体２１の軸方向一端は、糸巻カバー１４の内周から外部へ露出している。そしてこの糸巻２は、糸巻カバー１４を糸巻収納部１１から取り外すことによって糸巻２を糸巻室１Ａから取り出すことができるようになっている。
【００１６】
墨室カバー１５は、その揺動端部（ヒンジ１５１と反対側の端部）に形成された被掛合孔１５２（図１参照）が、墨室形成部１２の外側面に形成された掛合爪１２１にスナップ的に掛合されることによって、墨室形成部１２の上部開口を閉塞した状態に固定可能となっている。
【００１７】
墨室カバー１５にはゴム状弾性材料（ゴム材料又はゴム状弾性を有する合成樹脂材料）からなるパッキン１５３が設けられ、墨室形成部１２の上面に密接可能となっている。そして、墨室形成部１２と墨室カバー１５によって画成される墨室１Ｂ内には、スポンジ、脱脂綿あるいはフェルト等からなり、好ましくは、墨汁の浸透保持作用に優れたセルロースの繊維からなる墨汁浸透部材４が着脱可能に収納されている。また、墨室カバー１５のパッキン１５３には押しボタン１５４が形成されており、この押しボタン１５４の内面には、合成樹脂材からなる押圧部材１５５が取り付けられている。なお、墨汁は請求項１に記載された着色材に相当し、墨汁浸透部材４及び墨室１Ｂは請求項１に記載された着色材保持部に相当する。
【００１８】
そして、墨室カバー１５を閉じた状態では、押圧部材１５５は、押しボタン１５４を手指で押して凹ませることによって墨室１Ｂ内を押し下げられ、墨汁浸透部材４の上面を押圧して圧縮すると共に、両端で糸３を押し下げるようになっている。また、手指による押しボタン１５４の押し付けを解除すれば、押圧部材１５５は、ゴム弾性を有する押しボタン１５４の復元力によって復帰動作される。
【００１９】
糸導出部１３は、糸挿通部から連続した漏斗状の引き出し口１Ｃを包囲するように形成され、その端面１３ａは、墨室形成部１２及び糸導出部１３の中心軸線と直交する平面に対して上部が相対的に張り出すように傾斜しており、この端面１３ａの上半部は、引き出し口１Ｃから引き出した糸３を相手材に押し付けるための半円状の糸押さえ面１３１となっており、前記端面１３ａのボトム位置すなわち引き出し口１Ｃからの糸３の張設方向と反対側となる端縁には滑り止め部材５が設けられている。また、糸押さえ面１３１には、複数の案内溝１３１ａが適当な間隔で形成されている。
【００２０】
滑り止め部材５はゴム状弾性材料（ゴム材料又はゴム状弾性を有する合成樹脂材料）からなるものであって、糸導出部１３の端面１３ａのボトム位置に形成された取付凹部１３２に容易に脱落しないように抜け止めされた状態で着脱可能に係止され、その外面は、前記糸導出部１３の端面１３ａから僅かに隆起している。
【００２１】
糸巻２の糸巻本体２１に巻回された糸３は、糸巻室１Ａと墨室１Ｂとの間の糸挿通部と、墨室１Ｂにおける墨汁浸透部材４に形成されたスリット及び墨室１Ｂと引き出し口１Ｃとの間の糸挿通部を通って、引き出し口１Ｃからボディ１の外部へ導出されている。
【００２２】
参照符号６はばねチャージャである。このばねチャージャ６はワンウェイクラッチ手段及びその解除手段を備えており、糸巻２に内蔵された渦巻きばね２２の付勢力を任意に調整するためのものである。
【００２３】
引き出し口１Ｃからボディ１の外部へ導出された糸３の先端にはカルコ７が繋着されている。カルコ７は、図４に示すように、合成樹脂製の中空の柄７１と、この柄７１に着脱自在に取り付けられた金属製の止着針７２とを備え、安全性を高めるために通常は止着針７２が不図示のばねによって柄７１の中に格納されており、使用の際には押片７３を押して前記ばねの付勢力に抗して柄７１から突出させることができるようになっている。また、柄７１の先端７１ａは、引き出し口１Ｃに嵌合状態に保持することが可能な形状に形成されている。
【００２４】
以上のように構成された墨壷は、その使用に際して、予め墨室１Ｂ内の墨汁浸透部材４に墨汁を十分に含浸させておく。墨汁は、墨室カバー１５を開き、墨室１Ｂ内に注入することによって、墨汁浸透部材４に含浸させることができる。
【００２５】
この墨壷による墨打ち（線引き）作業においては、図４に示すように、カルコ７を、押片７３の押圧により止着針７２を木材等からなる施工対象材Ｗの表面における墨打ちの一方の基準点Ｐ１に刺して止着してから、ボディ１を墨打ちの他方の基準点Ｐ２へ向けて移動させると、糸巻２の回転を伴いながら、糸３がボディ１の移動距離分だけ引き出されて行く。この糸３には、引き出される過程で墨汁浸透部材４に摺接することによって墨汁が付着する。また、糸巻２に内蔵された渦巻きばね２２が糸巻本体２１の回転に伴って巻き込まれ、蓄勢される。
【００２６】
ボディ１を墨打ちの他方の基準点Ｐ２まで移動させたら、このボディ１の糸導出部１３先端の糸押さえ１３１で糸３を施工対象材Ｗの表面における前記基準点Ｐ２に押止することによって、引き出し口１Ｃから引き出された糸３を、糸導出部１３の糸押さえ１３１における任意の案内溝１３１ａを通して、基準点Ｐ１に刺して止着したカルコ７との間で適当な張設する。
【００２７】
このときボディ１の糸導出部１３には糸３の張力が作用するが、糸導出部１３の端面１３ａのボトム位置に設けられたゴム状弾性材料からなる滑り止め部材５を施工対象材Ｗの表面に押し付けることによって、前記張力による糸導出部１３の滑動が抑止される。また、滑り止め部材５は糸導出部１３の端面１３ａから僅かに隆起しているので、施工対象材Ｗの表面に押し付けた滑り止め部材５を支点にして糸導出部１３の糸押さえ１３１における案内溝１３１ａの位置を左右に微調整することができ、引き出し口１Ｃと近い位置で滑り止めされるため、糸３の引き出し端部を基準点Ｐ２に位置決め固定する作業を容易に行うことができる。
【００２８】
次に、糸３をいったん手指で施工対象材Ｗの表面から浮かせるように引っ張ってから手指を離すことで、この糸３を張力によって施工対象材Ｗの表面に打ち付ければ、糸３に付着している墨汁によって直線状の墨線を転写することができる。そして、糸３をいったん手指で施工対象材Ｗの表面から浮かせるように引っ張る過程では、糸３の張力が増大することになるが、ここでも、滑り止め部材５が施工対象材Ｗの表面に押し付けられているので、糸３の引き出し端部が基準点Ｐ２からずれてしまうのを防止して、正確な墨線を引くことができる。
【００２９】
墨打ち作業終了後は、基準点Ｐ１に止着したカルコ７へ向けてボディ１を移動させると、糸３の引き出し過程で蓄勢された渦巻きばね２２によって、糸巻２が巻き取り方向に回転するため、糸３は糸巻本体２１に自動的に巻き取られる。そして最後にカルコ７を施工対象材Ｗから引き抜けば、糸３がさらに巻き取られてカルコ７が引き出し口１Ｃに半収納状態に係止される。
【００３０】
滑り止め部材５は着脱可能であるため、当該墨壷の繰り返し使用によって摩耗や材質的な劣化があった場合は、これを新しいものと交換することができる。
【００３１】
なお、上述した実施の形態では、滑り止め部材５を、糸導出部１３の端面１３ａのボトム位置すなわち引き出し口１Ｃからの糸３の張設方向と反対側となる位置に設けたが、これを前記端面１３ａのうち半円状の糸押さえ面１３１、すなわち引き出し口１Ｃからの糸３の張設方向の縁に位置して設け、糸押さえ面１３１を直接滑り止めするようにしたものや、あるいはその双方の位置に滑り止め部材５を設けたものや、端面１３ａの全面を滑り止め部材からなるものとすることも考えられる。
【００３２】
また、滑り止め部材５はゴム状弾性材料からなるものに限らず、たとえば粗面加工によって摩擦係数を高めたものであっても良い。
【００３３】
また、上述した実施の形態では、線引き具が墨壷である場合について説明したが、線引き具がたとえばチョーク粉などの粉体を付着させた糸をボディから引き出して線引きを行うチョークラインと呼ばれるものである場合についても、同様に適用することができる。
【符号の説明】
【００３４】
１  ボディ
１３  糸導出部
１３ａ  端面（ボディの端部）
２  糸巻
３  糸
４  墨汁浸透部材（着色材保持部）
５  滑り止め部材
６  ばねチャージャ
７  カルコ
Ｗ  施工対象材
【図１】
2015089581.tif 000003
【図２】
2015089581.tif 000004
【図３】
2015089581.tif 000005
【図４】
2015089581.tif 000006